(57)【要約】【課題】  特に腰の筋肉を鍛錬するために、レールの傾斜角度を使用者の好みに応じて調整することができると共に、分解して折畳み収納することができる腰力トレーニング機を提供する。【解決手段】  ベースの前端及び後端にそれぞれヒンジが設けられ、後端のヒンジに前方斜め上方へ延出するレールが枢設され、該レールの前端と該ベースの前端のヒンジとの間に、伸縮可能な角度調整部材が設置され、その角度調整部材によって、腰力トレーニングのレベルを変更することができる。【選択図】  図１
0003171926.tif 000002
【実用新案登録請求の範囲】
【請求項１】
先端上面に設けられるフロントヒンジと、後端上面に設けられるリアヒンジとを備えるベースと、
後端に設けられるリアブロックと、該リアブロックの底部に設けられると共に、前記リアヒンジに枢設される後枢設部と、左右対称の円杆体であると共に、該リアブロックから前方斜め上方へ延出する２本のレールと、該２本のレールの前端に設置されると共に、前記ベースの前端上方に位置するハンドル部材と、該レールの前端底部における、前記フロントヒンジの上方と対応する位置に、該２本のレールを跨ぐように設置される前枢設部とを備えるスライドレール部材と、
底端が前記フロントヒンジに枢設されると共に、底端から後方斜めに上方へ伸びるように位置し、内部に挿設凹部、上端前面に調整ねじ孔が形成される下伸縮棒と、後方斜めに上方へ伸びるように位置する棒体であり、上部が該挿設凹部から突出して前記前枢設部に枢設されるように該挿設凹部内に挿設され、前面に長手方向に沿って間隔をおいて複数の調整挿設孔が形成される上伸縮棒と、１つの調整挿設孔に挿入して該調整ねじ孔に螺合されるボルトとを備える角度調整部材と、
スライド自在に前記２本のレールに設置され、その底面に、前記２つのレールの間に組み合わせ、前記レールより低い部分の左右両側にピン孔が形成されるピン台と、着脱可能に該ピン台のピン孔に挿設されると共に、両端が前記２本のレールの下方に位置するピンとを備える摺動台と、を有することを特徴とする腰力トレーニング機。
【請求項２】
前記下伸縮棒及び上伸縮棒は、矩形断面の棒体であり、
該上伸縮棒の下段部に、内径が前記調整挿設孔より大きい固定孔が穿通されることを特徴とする請求項１に記載の腰力トレーニング機。
【請求項３】
前記レールは、弧状の円杆体を呈し、
前記摺動台の中央下部に、横幅が前記２本のレールの距離より狭い車輪台が位置し、該車輪台における前端左右両側及び後端左右両側にそれぞれ、軸体を貫設するための軸孔が形成され、該各軸体の両端にそれぞれ、外周面に該レールに対応する溝部が凹設される車輪が設置され、該各軸体の両端の車輪は、該溝部を介してスライド自在に前記レールに設置され、更に、該車輪台にひざつきマットユニットが設置され、
前記車輪台の底面に下方に向かって箱型の前記ピン台が設けられ、該ピン台の底端は、前記２本のレールの間から下方へ突出し、前記２本のレールより低い部分の左右の面にそれぞれピン孔が形成されると共に、前後の面にそれぞれ位置決め孔が形成され、また、前記ピンの中間に位置決めねじ孔が形成され、該位置決めねじ孔に、該位置決め孔から位置決めボルトが螺合されることを特徴とする請求項１または２に記載の腰力トレーニング機。
【請求項４】
前記リアブロックの前面中間に弾性を有する緩和ユニットが設置され、
前記ピン台の後面における、前記緩和ユニットと対応する位置に緩和面部が設けられることを特徴とする請求項３に記載の腰力トレーニング機。
【請求項５】
前記ひざつきマットユニットは、２つの支持棒体及び２つのマットを有し、その内、該２つの支持棒体は、横方向に平行するように配置される棒体であり、その棒体の中間底面に前記車輪台の前端及び後端の上面が設置され、該２つのマットは、軟質の敷物であり、上面に弧形のひざ凹部が凹設され、横方向において相対するように、該２つの支持棒体の右側上面及び左側上面に設置されることを特徴とする請求項４に記載の腰力トレーニング機。
【請求項６】
前記２本のレールの前端の間に計数装置が設置され、また、前記２本のレールの何れか１本の後端底面に、該計数装置と電気接続する磁気感知スイッチが設置されることを特徴とする請求項５に記載の腰力トレーニング機。
【考案の詳細な説明】
【技術分野】
【０００１】
本考案は、運動器具に関し、特に腰の筋肉を鍛錬するための腰力トレーニング機に関するものである。
【背景技術】
【０００２】
従来の腰力トレーニング機は、ベースに弧形のレールが設けられ、該レールにスライド自在にひざつき台が設置されるものであり、使用する時は、ひざをひざつき台の上につくと共に、手でレール先端のハンドルを握り、下半身（主に腰筋）の力を使ってひざつき台をレールに沿って前進させることにより、腰の筋肉をトレーニングする。
【考案の概要】
【考案が解決しようとする課題】
【０００３】
しかしながら、従来の腰力トレーニング機は、腰の筋肉を鍛錬することはできるが、固定式の構造であることから、調整することができないという欠点を有する。例えば、一旦、そのレールの角度を決定すると、再びレールの角度を調整することができないので、実用性に欠しい。また、従来の腰力トレーニング機は、固定式の構造であり、分解することができないので、体積が大きく収納にとても不便であった。
【課題を解決するための手段】
【０００４】
本考案に係る腰筋トレーニング機は、ベースと、スライドレール部材と、角度調整部材と、摺動台とを有し、その内、該ベースは、先端上面に設けられるフロントヒンジと、後端上面に設けられるリアヒンジとを備え、
該スライドレール部材は、後端に設けられるリアブロックと、該リアブロックの底部に設けられると共に、前記リアヒンジに枢設される後枢設部と、左右対称の円杆体であると共に、該リアブロックから前方斜め上方へ延出する２本のレールと、該２本のレールの前端に設置されると共に、前記ベースの前端上方に位置するハンドル部材と、該レールの前端底部における、前記フロントヒンジの上方と対応する位置に、該２本のレールを跨ぐように設置される前枢設部とを備え、
該角度調整部材は、底端が前記フロントヒンジに枢設されると共に、底端から後方斜めに上方へ伸びるように位置し、内部に挿設凹部、上端前面に調整ねじ孔が形成される下伸縮棒と、後方斜めに上方へ伸びるように位置する棒体であり、上部が該挿設凹部から突出して前記前枢設部に枢設されるように該挿設凹部内に挿設され、前面に長手方向に沿って間隔をおいて複数の調整挿設孔が形成される上伸縮棒と、１つの調整挿設孔に挿入して該調整ねじ孔に螺合されるボルトとを備え、
該摺動台は、スライド自在に前記２本のレールに設置され、その底面に、前記２つのレールの間に組み合わせ、前記レールより低い部分の左右両側にピン孔が形成されるピン台と、着脱可能に該ピン台のピン孔に挿設されると共に、両端が前記２本のレールの下方に位置するピンとを備えるものである。
前記下伸縮棒及び上伸縮棒は、矩形断面の棒体であり、
該上伸縮棒の下段部に、内径が前記調整挿設孔より大きい固定孔が穿通されることが好ましい。
前記レールは、弧状の円杆体を呈し、
前記摺動台の中央下部に、横幅が前記２本のレールの距離より狭い車輪台が位置し、該車輪台における前端左右両側及び後端左右両側にそれぞれ、軸体を貫設するための軸孔が形成され、該各軸体の両端にそれぞれ、外周面に該レールに対応する溝部が凹設される車輪が設置され、該各軸体の両端の車輪は、該溝部を介してスライド自在に前記レールに設置され、更に、該車輪台にひざつきマットユニットが設置され、
前記車輪台の底面に下方に向かって箱型の前記ピン台が設けられ、該ピン台の底端は、前記２本のレールの間から下方へ突出し、前記２本のレールより低い部分の左右の面にそれぞれピン孔が形成されると共に、前後の面にそれぞれ位置決め孔が形成され、また、前記ピンの中間に位置決めねじ孔が形成され、該位置決めねじ孔に、該位置決め孔から位置決めボルトが螺合されることが好ましい。
前記リアブロックの前面中間に弾性を有する緩和ユニットが設置され、
前記ピン台の後面における、前記緩和ユニットと対応する位置に緩和面部が設けられてもよい。
前記ひざつきマットユニットは、２つの支持棒体及び２つのマットを有し、その内、該２つの支持棒体は、横方向に平行するように配置される棒体であり、その棒体の中間底面に前記車輪台の前端及び後端の上面が設置され、該２つのマットは、軟質の敷物であり、上面に弧形のひざ凹部が凹設され、横方向において相対するように、該２つの支持棒体の右側上面及び左側上面に設置されることが好ましい。
前記２本のレールの前端の間に計数装置が設置され、また、前記２本のレールの何れか１本の後端底面に、該計数装置と電気接続する磁気感知スイッチが設置されてもよい。
【考案の効果】
【０００５】
本考案に係る腰力トレーニング機は上記の課題を解決するものであり、角度調整部材が設置されることから、レール２４の傾斜角度を調整することできると共に、腰力トレーニング機を分解することもできるので、腰力トレーニング機を折り畳んで収納や搬送することができる。
【図面の簡単な説明】
【０００６】
【図１】本考案に係る腰力トレーニング機の斜視図。
【図２】本考案に係る腰力トレーニング機の分解斜視図。
【図３】本考案に係る腰力トレーニング機における角度調整部材の部分拡大断面図。
【図４】本考案に係る腰力トレーニング機における摺動台の部分拡大分解斜視図。
【図５】本考案に係る腰力トレーニング機における摺動台の部分拡大断面図。
【図６】本考案に係る腰力トレーニング機の使用状態を示す側面図。
【図７】本考案に係る腰力トレーニング機における傾斜角度の調整状態を示す側面図。
【図８】本考案に係る腰力トレーニング機の分解方法を示す側面図。
【図９】本考案に係る腰力トレーニング機の折り畳み方法を示す側面図。
【図１０】本考案に係る腰力トレーニング機の折り畳み状態を示す部分拡大断面図。
【図１１】本考案に係る腰力トレーニング機の折り畳み後の斜視図。
【考案を実施するための形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
図１乃至図５に示すように、本考案に係る腰力トレーニング機は、ベース１０と、スライドレール部材２０と、角度調整部材３０と、摺動台４０とを有する。
前記ベース１０は、矩形断面の角直棒を呈し、地面に前後方向に底棒１１が配置され、該底棒１１の後端に上方へ湾曲する湾曲部１１１が設けられ、該底棒１１の前端は、前棒１２の中間に接するように設置されると共に、を該底棒１１の後端における湾曲部１１１は、その底面が後棒１３の中間に接するように設置され、また、該後棒１３及び前棒１２は、同一の高さを有すると共に、前後方向に相対するように設置され、さらに、前記ベース１０における底棒１１の前端上面にフロントヒンジ１４が設けられると共に、該底棒１１の後端における湾曲部１１１の上面にリアヒンジ１５が設けられる。
前記スライドレール部材２０は、後端に直方体のリアブロック２１が設けられ、該リアブロック２１の底部に、回転可能に前記リアヒンジ１５に枢設される後枢設部２２が設けられ、該リアブロック２１の前面中間に弾性を有する緩和ユニット２３が設置されると共に、該リアブロック２１の前面左右両側にそれぞれ、前方斜め上方へ延出する２本のレール２４が設置され、そのレール２４は、左右対称である弧状の円杆体を呈し、その円杆体の前端が底棒１１の上方に位置するものである。
前記２本のレール２４の前端に、前記ベース１０の前端上方に位置する逆Ｕ字形のハンドル部材２５が取り付けられ、該ハンドル部材２５の上部にグリップ２５１が縦方向に設置され、また、該レール２４の前端底部における、前記フロントヒンジ１４の上方と対応する位置に、該２本のレール２４を跨ぐように前枢設部２６が設置されると共に、該２本のレール２４の前端の間に計数装置２７が設置され、該２本のレール２４の何れか１つの後端底面に、該計数装置２７と電気接続して検知結果を伝送する磁気感知スイッチ２７１が設置され、その磁気感知スイッチ２７１は、金属物の通過を検知することができ、検知したデータは計数装置２７に伝送されて画面上に掲示される。
前記角度調整部材３０は、伸縮可能に前記フロントヒンジ１４と前枢設部２６との間に設置され、下伸縮棒３１と、上伸縮棒３２と、ボルト３３とを有し、その内、該下伸縮棒３１は、矩形断面の角棒体であり、底端が前記フロントヒンジ１４に枢設されると共に、底端から後方斜めに上方へ伸びるように位置し、上端内部に挿設凹部３１１が、上端前面に、後端が挿設凹部３１１と連通する調整ねじ孔３１２が形成される。
前記上伸縮棒３２は、後方斜め上方に伸びるように位置する矩形断面の角棒体であり、摺動可能に前記挿設凹部３１１内に挿設され、上部が前記下伸縮棒３１の挿設凹部３１１から突出して前記前枢設部２６に枢設され、また、前面に長手方向に沿って所定の間隔で複数の調整挿設孔３２１が形成され、それら複数の調整挿設孔３２１のうちの何れか１つが前記調整ねじ孔３１２と対応するように形成され、更に、前記上伸縮棒３２の下段部に、内径が該調整挿設孔３２１より大きい固定孔３２２が穿通され、前記ボルト３３は、1つの調整挿設孔３２１に挿入して前記調整ねじ孔３１２に螺合される。
前記摺動台４０は、前後方向に沿って、横幅が前記２本のレール２４の距離より狭い車輪台４１が配置され、該車輪台４１の前端左右両側及び後端左右両側にそれぞれ、軸体４２を貫設するための軸孔４１１が形成され、該各軸体４２の両端にそれぞれ、外周面の中間に前記レール２４に対応する溝部４２２が環状に凹設される円形の車輪４２１が設置され、該各軸体４２の両端の車輪４２１は、溝部４２２を介してスライド自在にレール２４に設置される。
さらに、前記車輪台４１は、底面中央に下方に向かって箱型のピン台４３が設けられ、該ピン台４３の底端は、前記２本のレール２４の間から下方へ突出すると共に、後面における、前記緩和ユニット２３と対応する位置に緩和面部４３１が設けられ、また、該ピン台４３におけるレール２４より低い部分の左右の面にそれぞれピン孔４３２が形成されると共に、前後の面にそれぞれ前後方向に沿って、該ピン孔４３２と連通する位置決め孔４３３が形成される。
前記摺動台４０はさらに、ピン４４を備え、該ピン４４は、両端が前記ピン孔４３２から突出するように、左右方向に着脱可能に前記ピン孔４３２に挿設され、その両端は、前記レール２４の下方に位置することから、前記車輪台４１の両側に設置された４つの車輪４２１が上方へずれてレール２４から脱落することを防止できる。また、前記ピン４４の中間における、前記位置決め孔４３３と対応する位置に位置決めねじ孔４４１が形成され、該位置決めねじ孔４４１に、該位置決め孔４３３から位置決めボルト４５が螺合される。
また、前記摺動台４０における車輪台４１にひざつきマットユニット４６が設置され、該ひざつきマットユニット４６は、２つの支持棒体４６１及び２つのマット４６２を有し、その内、該２つの支持棒体４６１は、横方向に平行するように配置される矩形断面の角棒体であり、その棒体の中間底面に車輪台４１の前端及び後端の上面が設置され、該２つのマット４６２は、軟質の敷物であり、上面に弧形のひざ凹部４６２１が凹設され、横方向において相対するように、該２つの支持棒体４６１の右側上面及び左側上面に設置される。
図６に示すように、本考案に係る腰力トレーニング機を使用する時は、使用者がひざを摺動台４０のマット４６２につくと共に、両手で前方のグリップ２５１を握る。そして、主に腰の力により下半身と摺動台４０を同時にレール２４に沿って前上方へ摺動させてから再び後下方へ戻し、この動作を繰り返せば、簡単に腰力のトレーニングを行うことができる。
また、本考案によれば、前記摺動台４０がレール２４の後端における元の位置へ戻った時、磁気感知スイッチ２７１が摺動台４０の通過を検知して回数を計数装置２７に表示するので、使用者は一目で自分が行った往復運動の回数を把握することができる。更に、摺動台４０を後方へ移動した時、そのピン台４３の緩和面部４３１が緩和ユニット２３に衝突する仕組みとなっているので、摺動台４０とリアブロック２１との衝突の際の衝撃を吸収し緩和することができる。
更に、本考案に係る腰力トレーニング機においては、腰力トレーニングのレベル、つまり負荷の程度を変更することができ、レール２４の傾斜角度を調整する場合には、図３及び図７に示すように、先ずボルト３３を緩めて、上伸縮棒３２を下伸縮棒３１に対して上下移動させてレール２４を好みの傾斜角度に変更したら、該ボルト３３を対応する調整挿設孔３２１に挿入して締め付ければ、レール２４の傾斜角度の調整作業が完成する。
図８乃至図１０に示すように、本考案に係る腰力トレーニング機を収納する時は、先ず位置決めボルト４５をピン４４の位置決めねじ孔４４１から外して、摺動台４０をスライドレール部材２０のレール２４から取り外し、その後、ボルト３３を外して、リアヒンジ１５を軸心として上伸縮棒３２が下伸縮棒３１から抜け出るまでスライドレール部材２０を上方へ持ち上げ、上伸縮棒３２をレール２４の底端に折畳むと共に、下伸縮棒３１をベース１０の上端に折畳み、最後にリアヒンジ１５を枢転させてスライドレール部材２０をベース１０の上端に折り畳む。
そして、図１０に示すように、ボルト３３を上伸縮棒３２の固定孔３２２から下伸縮棒３１の調整ねじ孔３１２へ螺合してスライドレール部材２０をベース１０上に固定し、図１１に示すように、摺動台４０をスライドレール部材２０に配置すれば、腰力トレーニング機の折畳み作業が完了する。上述したように、本考案に係る腰力トレーニング機は、分解して体積を小さく折り畳むことができるので、収納や搬送などにとても便利である。
【産業上の利用可能性】
【０００８】
本考案は上記の構成を有し、角度調整部材が設置されることから、レールの傾斜角度を調整することができると共に、腰力トレーニング機を分解して体積を小さく折り畳むこともできるので、収納や搬送にも便利である。
【符号の説明】
【０００９】
１０          ベース
１１          底棒
１１１ 湾曲部
１２          前棒
１３          後棒
１４          フロントヒンジ
１５          リアヒンジ
２０          スライドレール部材
２１          リアブロック
２２          後枢設部
２３          緩和ユニット
２４          レール
２５          ハンドル部材
２５１ グリップ
２６          枢設部
２７          計数装置
２７１ 磁気感知スイッチ
３０          角度調整部材
３１          下伸縮棒
３１１ 挿設凹部
３１２ 調整ねじ孔
３２          上伸縮棒
３２１ 調整挿設孔
３２２ 固定孔
３３          ボルト
４０          摺動台
４１          車輪台
４１１ 軸孔
４２          軸体
４２１ 車輪
４２２ 溝部
４３          ピン台
４３１ 緩和面部
４３２ ピン孔
４３３ 位置決め孔
４４          ピン
４４１ 位置決めねじ孔
４５          位置決めボルト
４６          ひざつきマットユニット
４６１ 支持棒体
４６２ マット
４６２１      ひざ凹部
【図１】
0003171926.tif 000003
【図３】
0003171926.tif 000004
【図４】
0003171926.tif 000005
【図６】
0003171926.tif 000006
【図７】
0003171926.tif 000007
【図８】
0003171926.tif 000008
【図１０】
0003171926.tif 000009
【図１１】
0003171926.tif 000010
【図２】
0003171926.tif 000011
【図５】
0003171926.tif 000012
【図９】
0003171926.tif 000013